(57)【要約】【課題】確実に手で持つことができる上、ボトル本体を分離することができるため洗浄が容易であり、使用し易い、携帯及び洗浄が容易なボトルを提供する。【解決手段】洗浄が容易なボトルは、ボトル本体１及びボトル蓋２を備える。ボトル本体１は、上段部３及び下段部４が結合されて成る。下段部４は、内部に下部収納室４１が設けられ、頂端に開口部４２が形成される。上段部３は、内部に上部収納室３１を有し、頂端に瓶口３２を有する。上段部３には、厚さ方向に対して平行な両側に、下向きに延びた側挟持片３３がそれぞれ延設される。側挟持片３３が段差部４３に押し付けられると、バンプ３３１が凹部４３１に嵌合されて位置決めされる。上段部３と下段部４との間には、防水リング４４が設けられる。上段部３と下段部４とが結合されて成るボトル本体１は、幅が厚さの２倍より大きな扁平構造に形成される。ボトル蓋２は、瓶口３２を閉止する。【選択図】図２
0003234552.tif 000002
【実用新案登録請求の範囲】
【請求項１】
ボトル本体及びボトル蓋を備えた、洗浄が容易なボトルであって、
前記ボトル本体は、上段部及び下段部が結合されて成り、前記下段部は、内部に下部収納室が設けられ、頂端に開口部が形成され、前記上段部は、内部に上部収納室を有し、頂端に瓶口を有し、
前記上段部には、厚さ方向に対して平行な両側に、下向きに延びた側挟持片がそれぞれ延設され、
前記側挟持片には、前記下段部の外側壁面に向かって突出されたバンプが設けられ、前記下段部の外側壁面には、段差部及び凹部が凹設され、前記側挟持片が前記段差部に押し付けられると、前記バンプが凹部に嵌合されて位置決めされ、前記上段部が前記下段部に着脱可能に結合されて前記開口部を閉止し、前記上部収納室が前記下部収納室と連通し、前記上段部と前記下段部とが結合されると、表面が同じ高さで揃い、
前記上段部と前記下段部との間には、防水リングが設けられ、
前記上段部と前記下段部とが結合されて成る前記ボトル本体は、幅が厚さの２倍より大きな扁平構造に形成され、
前記ボトル蓋は、前記瓶口を閉止することを特徴とする、洗浄が容易なボトル。
【請求項２】
前記上段部及び前記下段部が結合されて成る前記ボトル本体は、錐台に形成され、頂端の幅が底端の幅より小さく、前記ボトル本体の高さの半分の位置が平均幅を有すると定義すると、前記ボトル本体は、均等な厚さを有し、前記平均幅は厚さの２倍より大きいことを特徴とする請求項１に記載の洗浄が容易なボトル。
【考案の詳細な説明】
【技術分野】
【０００１】
本考案は、容器構造に関し、特に、水又は飲み物を受けるボトルに関する。
【背景技術】
【０００２】
一般のウォーターボトル又は飲料ボトルのほとんどは円筒形状であり、リュックなどのバックに入れると、丸味を帯びているその外形のため、他の物品に当接させて位置決めすることが容易でなく、勝手に転がってバック内の物品の位置が滅茶苦茶になってしまうことがあった。また、円筒形状のウォーターボトルは、その容積が適切である前提下で、そのボトル径が大人の手掌の親指と人差し指との間の寸法に略等しいが、その寸法は子どもの手では確実に掴むことが困難である上、丸味を帯びた外形であるため、大人にとっても不注意により手から滑り落ちることがあった。
【０００３】
また、従来のウォーターボトルの頂端には１つの開口が形成され、その開口には蓋が配設されていることが一般的であった。しかしボトルを洗浄する際、手を開口から伸ばし入れてスクラブ洗浄しなければならず、開口が細長いボトルの一端に形成されていたため、ボトル底に手が触れるようにするには、手を完全に伸ばして挿入する必要があった。しかし、手を完全に伸ばしてボトルに挿入した場合、動作が制限されるため、ボトルをきれいに洗うことができない上、手が大きな者は、手をボトルに挿入させることが全くできない虞もあった（例えば、特許文献１〜３）。
【先行技術文献】
【特許文献】
【０００４】
【特許文献１】台湾特許第Ｉ５７４６４９号公報
【特許文献２】台湾特許第Ｉ５５８６２３号公報
【特許文献３】台湾実用新案公告第Ｍ５０２４３４号公報
【考案の概要】
【考案が解決しようとする課題】
【０００５】
本考案の主な目的は、扁平の錐台に形成されているため、確実に手で持つことができる上、ボトル本体を分離することができるため洗浄が容易であり、使用し易く、携帯及び洗浄が容易なボトルを提供することにある。
【課題を解決するための手段】
【０００６】
上記課題を解決するために、本考案の第１の形態によれば、ボトル本体及びボトル蓋を備えた、洗浄が容易なボトルであって、前記ボトル本体は、上段部及び下段部が結合されて成り、前記下段部は、内部に下部収納室が設けられ、頂端に開口部が形成され、前記上段部は、内部に上部収納室を有し、頂端に瓶口を有し、前記上段部には、厚さ方向に対して平行な両側に、下向きに延びた側挟持片がそれぞれ延設され、前記側挟持片には、前記下段部の外側壁面に向かって突出されたバンプが設けられ、前記下段部の外側壁面には、段差部及び凹部が凹設され、前記側挟持片が前記段差部に押し付けられると、前記バンプが凹部に嵌合されて位置決めされ、前記上段部が前記下段部に着脱可能に結合されて前記開口部を閉止し、前記上部収納室が前記下部収納室と連通し、前記上段部と前記下段部とが結合されると、表面が同じ高さで揃い、前記上段部と前記下段部との間には、防水リングが設けられ、前記上段部と前記下段部とが結合されて成る前記ボトル本体は、幅が厚さの２倍より大きな扁平構造に形成され、前記ボトル蓋は、前記瓶口を閉止することを特徴とする、洗浄が容易なボトルが提供される。
【０００７】
前記上段部及び前記下段部が結合されて成る前記ボトル本体は、錐台に形成され、頂端の幅が底端の幅より小さく、前記ボトル本体の高さの半分の位置が平均幅を有すると定義すると、前記ボトル本体は、均等な厚さを有し、前記平均幅は厚さの２倍より大きいことが好ましい。
【図面の簡単な説明】
【０００８】
【図１】図１は、本考案の一実施形態に係る携帯及び洗浄が容易なボトルを示す斜視図である。
【図２】図２は、本考案の一実施形態に係る携帯及び洗浄が容易なボトルを示す分解斜視図である。
【図３】図３は、本考案の一実施形態に係る携帯及び洗浄が容易なボトルを示す部分拡大図である。
【考案を実施するための形態】
【０００９】
図１〜図３を参照する。図１〜図３に示すように、本考案の一実施形態に係る携帯及び洗浄が容易なボトルは、少なくともボトル本体１及びボトル蓋２から構成されてなる。ボトル本体１は、上段部３及び下段部４が結合されて成る。
【００１０】
上段部３及び下段部４が結合されて成るボトル本体１は、錐台に形成され、その頂端の幅は、底端の幅より小さい。ボトル本体１は、全体にわたって均等な厚さＴを有し、ボトル本体１の高さの半分の位置が平均幅Ｗを有すると定義すると、平均幅Ｗは厚さＴの２倍より大きい。このようにボトル本体１全体は扁平構造に形成される。
【００１１】
上述した上段部３及び下段部４は、互いに接合されてボトル本体１を構成してもよいし、互いに分離して洗浄してもよい。下段部４は、内部に下部収納室４１が設けられ、頂端に方形状の開口部４２が形成される。上段部３は、底端が開放状の上部収納室３１を内部に有し、瓶口３２を頂端に有する。瓶口３２は、ボトル蓋２により閉止される。上段部３と下段部４とが接合されると、上部収納室３１が下部収納室４１と連通し、ボトル本体１に水を受ける空間が形成される。
【００１２】
上述した上段部３は、下段部４に係合される係合部を有する。本実施形態の上段部３には、厚さＴの方向に対して平行な両側に、それぞれ下向きに延びた側挟持片３３がそれぞれ延設されている。下段部４の外側壁面には、段差部４３が凹設されている。図３に示すように、側挟持片３３は、垂直方向に対して外方へ角度θ１で傾きながら延び、段差部４３は、垂直方向に対して内方へ角度θ２で傾きながら延び、θ１はθ２より小さい。上段部３が下段部４に接合されると、上段部３の２つの側挟持片３３が段差部４３に伸ばし入れられて内方に挟持して段差部４３に押し付けられ、上段部３を下段部４に確実に結合させることができる。
【００１３】
上述した側挟持片３３には、段差部４３に向かって突出されたバンプ３３１が設けられる。段差部４３には、バンプ３３１を嵌合して位置決めする凹部４３１が設けられる。側挟持片３３が段差部４３に押し付けられると、バンプ３３１が凹部４３１に嵌合されて位置決めされる。上述した段差部４３の深さは、側挟持片３３の厚さＴに等しいため、上段部３と下段部４とが結合されると表面が同じ高さで揃う。
【００１４】
また、本実施形態の下段部４の頂端には、防水リング４４が設けられ、この防水リング４４により上段部３と下段部４とが結合されたときに生じる両者間の間隙が密封されるため、液体が漏れ出ることを防ぐことができる。
【００１５】
上述した構造から分かるように、上段部３と下段部４とが接合されると、上部収納室３１と下部収納室４１とが連通されて完全な貯水空間が構成され、防水リング４４により上段部３と下段部４との間に生じる間隙が密封されるため、液体が漏れ出ることを防ぐことができる。ボトル蓋２を開くと、使用者は瓶口３２から水を飲むことができる。また、ウォーターボトルを洗浄するときは、ボトル本体１の上段部３と下段部４とを分離し、上段部３及び下段部４のそれぞれの高さがボトル本体１全体より低いため、洗浄する者は容易に手又は洗浄道具を上段部３及び下段部４中に伸ばし入れてスクラブ洗浄することができる。そのため、隅部に届きにくいという問題点を改善し、徹底的にきれいにすることができ、衛生的である。
【００１６】
本考案の携帯及び洗浄が容易なボトルは、ウォーターボトルが扁平の錐台に形成されているため、使用者は手で確実に持つことができる上、尖った角を有するため、手から滑り落ちることを防ぐことができ、カバンの中で勝手に転がることを防ぐこともできるため、携帯するのに便利である。
【符号の説明】
【００１７】
１  ボトル本体
２  ボトル蓋
３  上段部
４  下段部
３１  上部収納室
３２  瓶口
３３  側挟持片
４１  下部収納室
４２  開口部
４３  段差部
４４  防水リング
３３１  バンプ
４３１  凹部
Ｔ  厚さ
Ｗ  平均幅
θ１  角度
θ２  角度
【図１】
0003234552.tif 000003
【図２】
0003234552.tif 000004
【図３】
0003234552.tif 000005